(57)【要約】【課題】発光時に高い存在感を有すると共に、消灯時の存在感を軽減し、自由なエンターテインメント性を発揮することができる発光ユニット及び発光装置を提供する。【解決手段】透光板２と、透光板２の側部に沿って列状に設けられ、発光を制御される複数のＬＥＤ部３と、透光板２の片面に所定ピッチで配設される光拡散ライン４とを備え、好適には光拡散ライン４を、ＬＥＤ部３の列設する方向と略平行方向のみに設けると共に、ＬＥＤ部３を赤色ＬＥＤ３１、緑色ＬＥＤ３２、青色ＬＥＤ３３とから構成し、赤色ＬＥＤ３１と緑色ＬＥＤ３２と青色ＬＥＤ３３とを、光拡散ライン４と略平行に列状に設ける発光ユニット１。【選択図】図２
2012079539.tif 000002
【特許請求の範囲】
【請求項１】
透光板と、
前記透光板の側部に沿って列状に設けられ、発光を制御される複数のＬＥＤ部と、
前記透光板の片面に所定ピッチで配設される光拡散ラインと、
を備えることを特徴とする発光ユニット。
【請求項２】
前記光拡散ラインを、前記ＬＥＤ部の列設する方向と略平行方向のみに設けることを特徴とする請求項１記載の発光ユニット。
【請求項３】
前記ＬＥＤ部を赤色ＬＥＤ、緑色ＬＥＤ、青色ＬＥＤとから構成し、
前記赤色ＬＥＤと前記緑色ＬＥＤと前記青色ＬＥＤとを、前記光拡散ラインと略平行に列状に設けることを特徴とする請求項１又は２記載の発光ユニット。
【請求項４】
別の発光ユニットと電気的に接続可能な接続部を備えることを特徴とする請求項１〜３の何れかに記載の発光ユニット。
【請求項５】
前記透光板の外側に位置する箇所に、別の発光ユニットとの連結を可能とする連結部を備えることを特徴とする請求項１〜４の何れかに記載の発光ユニット。
【請求項６】
略矩形の透光板と、
前記透光板の第一側部若しくは第一側部とこれに対向する第二側部とに沿って列状に設けられ、発光を制御される複数のＬＥＤ部と、
前記透光板の片面に所定ピッチで配設され、前記ＬＥＤ部の列設する方向と略平行方向のみに設けられる光拡散ラインと、
前記透光板の第三側部の外側と第四側部の外側とに位置して設けられ、別の発光ユニットと電気的に接続可能な接続部と、
前記透光板の外側に位置する箇所に設けられ、第一側部の外側、第二側部の外側、第三側部の外側及び第四側部の外側の所要箇所に配置される別の発光ユニットとの連結を可能とする連結部と、
を備えることを特徴とする発光ユニット。
【請求項７】
請求項１〜６の何れかに記載の発光ユニットを、発光面を略正面方向にして、正面視で略縦方向、略横方向若しくは略縦横方向に並設し、
前記並設した各発光ユニットに、前記ＬＥＤ部の発光を制御する制御信号を供給することを特徴とする発光装置。
【請求項８】
請求項１〜６の何れかに記載の発光ユニットを、発光面を略正面方向若しくは略平面方向にして、平面視で略縦方向、略横方向若しくは略縦横方向に並設し、
前記並設した各発光ユニットに、前記ＬＥＤ部の発光を制御する制御信号を供給することを特徴とする発光装置。
【請求項９】
請求項１〜６の何れかに記載の発光ユニットを、発光面を略半径方向若しくは略平面方向にして、平面視で略周状に設け、
前記周設した各発光ユニットに、前記ＬＥＤ部の発光を制御する制御信号を供給することを特徴とする発光装置。
【発明の詳細な説明】
【技術分野】
【０００１】
本発明は、例えばアイキャッチ等に適するＬＥＤ（発光ダイオード）を用いた発光ユニット及び発光装置に関する。
【背景技術】
【０００２】
従来、アイキャッチに適する発光装置として、特許文献１の発光装置がある。特許文献１の発光装置は、ＬＥＤを備えて文字や絵を表示する表示部と、ＬＥＤで装飾発光を行う装飾部とを有し、装飾部に中央部から傾斜して外側に拡がる反射面を有する多面体を備え、多面体の中央部や反射面の少なくとも一面にＬＥＤを配置するものである。
【先行技術文献】
【特許文献】
【０００３】
【特許文献１】特開２００９−５３２３２号公報
【発明の概要】
【発明が解決しようとする課題】
【０００４】
ところで、アイキャッチ等に適する発光装置として、発光時に高い存在感を有すると共に、消灯時の存在感を軽減し、自由なエンターテインメント性を発揮することができるものも望まれる。
【０００５】
本発明は上記課題に鑑み提案するものであって、発光時に高い存在感を有すると共に、消灯時の存在感を軽減し、自由なエンターテインメント性を発揮することができる発光ユニット及び発光装置を提供することを目的とする。
【課題を解決するための手段】
【０００６】
本発明の発光ユニットは、透光板と、前記透光板の側部に沿って列状に設けられ、発光を制御される複数のＬＥＤ部と、前記透光板の片面に所定ピッチで配設される光拡散ラインとを備えることを特徴とする。
この構成によれば、ＬＥＤ部からの光を透光板及び光拡散ラインにより輝度や色相にムラのない均一な混色光として透光板の両面に出射し、発光時に高い存在感の発光を行うことができる。更に、所定ピッチの光拡散ラインを有する透光板で消灯時の存在感を軽減し、自由なエンターテインメント性を発揮することができる。
【０００７】
本発明の発光ユニットは、前記光拡散ラインを、前記ＬＥＤ部の列設する方向と略平行方向のみに設けることを特徴とする。
この構成によれば、幾何学的錯覚により長手方向を強調して発光ユニットをスマートに見せるなど、ＬＥＤ部の列設する方向を強調して見せることができる。また、例えば発光ユニットをテレビカメラで撮像した場合等に、規則正しい模様を使用した場合に発生するモアレ（干渉縞）を軽減することができる。
【０００８】
本発明の発光ユニットは、前記ＬＥＤ部を赤色ＬＥＤ、緑色ＬＥＤ、青色ＬＥＤとから構成し、前記赤色ＬＥＤと前記緑色ＬＥＤと前記青色ＬＥＤとを、前記光拡散ラインと略平行に列状に設けることを特徴とする。
この構成によれば、赤色、緑色、青色の光が光拡散ラインに均等に届くようになり、一層ムラの無い混合色の発光を表現することができる。
【０００９】
本発明の発光ユニットは、別の発光ユニットと電気的に接続可能な接続部を備えることを特徴とする。
この構成によれば、複数の発光ユニットを接続して、例えばアイキャッチの装置、エンターテインメント空間の形成装置、パーティション等、自在な構造、形状の発光装置を形成することができる。
【００１０】
本発明の発光ユニットは、前記透光板の外側に位置する箇所に、別の発光ユニットとの連結を可能とする連結部を備えることを特徴とする。
この構成によれば、複数の発光ユニットを連結して、例えばアイキャッチの装置、エンターテインメント空間の形成装置、パーティション等、自在な構造、形状の発光装置を形成することができる。
【００１１】
本発明の発光ユニットは、略矩形の透光板と、前記透光板の第一側部若しくは第一側部とこれに対向する第二側部とに沿って列状に設けられ、発光を制御される複数のＬＥＤ部と、前記透光板の片面に所定ピッチで配設され、前記ＬＥＤ部の列設する方向と略平行方向のみに設けられる光拡散ラインと、前記透光板の第三側部の外側と第四側部の外側とに位置して設けられ、別の発光ユニットと電気的に接続可能な接続部と、前記透光板の外側に位置する箇所に設けられ、第一側部の外側、第二側部の外側、第三側部の外側及び第四側部の外側の所要箇所に配置される別の発光ユニットとの連結を可能とする連結部とを備えることを特徴とする。
この構成によれば、ＬＥＤ部からの光を透光板及び光拡散ラインにより輝度や色相にムラのない均一な混色光として透光板の両面に出射し、発光時に高い存在感の発光を行うことができる。更に、所定ピッチの光拡散ラインを有する透光板で消灯時の存在感を軽減し、自由なエンターテインメント性を発揮することができる。また、幾何学的錯覚により長手方向を強調して発光ユニットをスマートに見せるなど、ＬＥＤ部の列設する方向を強調して見せることができる。また、例えば発光ユニットをテレビカメラで撮像した場合等に、規則正しい模様を使用した場合に発生するモアレ（干渉縞）を軽減することができる。また、複数の発光ユニットを縦、横若しくは縦横に自由に連結して接続し、例えばアイキャッチの装置、エンターテインメント空間の形成装置、パーティション等、自在な構造、形状の発光装置を形成することができる。
【００１２】
更に、本発明の発光ユニットでは、前記複数のＬＥＤ部を前記光拡散ラインに沿って順次発光制御する構成とすると、光拡散ラインに沿った滑らかで美しい発光を行うことができて好適である。また、前記光拡散ラインの幅を０．０５〜０．５ｍｍ、前記光拡散ライン間のピッチを０．５〜１．５ｍｍとすると、均一な混色光の十分な発光を行うことができると共に、より十分な透過性を確保し、消灯時の存在感をより確実に消すことができて好適である。また、前記光拡散ラインの間隔を等間隔にし、前記透光板の幅を２５０ｍｍ以下とすると、等間隔の光拡散ラインにより、発光ユニットの消灯時の存在感のより確実に低減することができると共に、光の減衰を最小限に抑えてムラの無い均一な発光を得ることができて好適である。
【００１３】
本発明の発光装置は、本発明の発光ユニットを、発光面を略正面方向にして、正面視で略縦方向、略横方向若しくは略縦横方向に並設し、前記並設した各発光ユニットに、前記ＬＥＤ部の発光を制御する制御信号を供給することを特徴とする。
この構成によれば、例えばパーティション、舞台用装置、壁面装飾用装置、壁面広告用装置など、多様な発光装置を構成することができる。
【００１４】
本発明の発光装置は、本発明の発光ユニットを、発光面を略正面方向若しくは略平面方向にして、平面視で略縦方向、略横方向若しくは略縦横方向に並設し、前記並設した各発光ユニットに、前記ＬＥＤ部の発光を制御する制御信号を供給することを特徴とする。
この構成によれば、例えばフロア装飾用装置、上空や高所から視認される装飾用装置や広告用装置など、多様な発光装置を構成することができる。
【００１５】
本発明の発光装置は、本発明の発光ユニットを、発光面を略半径方向若しくは略平面方向にして、平面視で略周状に設け、前記周設した各発光ユニットに、前記ＬＥＤ部の発光を制御する制御信号を供給することを特徴とする。
この構成によれば、例えばフロア装飾用装置、柱装飾用装置、柱広告用装置、上空や高所から視認される装飾用装置や広告用装置など、多様な発光装置を構成することができる。
【発明の効果】
【００１６】
本発明の発光ユニット或いは発光装置は、発光時に高い存在感を有すると共に、消灯時の存在感を軽減し、自由なエンターテインメント性を発揮することができる。従って、例えばアイキャッチの装置、エンターテインメント空間（エンターテインメント領域）の形成装置、パーティション等として非常に優れた性能を発揮することができる。
【図面の簡単な説明】
【００１７】
【図１】（ａ）は本発明による第１実施形態の発光ユニットの一部断面正面説明図、（ｂ）はその側面図、（ｃ）はその横断面図。
【図２】（ａ）は図１（ａ）の部分拡大図、（ｂ）は図１（ｂ）の部分拡大図、（ｃ）はＬＥＤ部が列設する状態を示す図。
【図３】（ａ）〜（ｃ）は第１実施形態の一の発光ユニットと別の発光ユニットとの接続と連結を説明する説明図。
【図４】（ａ）は第１実施形態の発光ユニットにより発光装置であるパーティションを構成した例を示す斜視説明図、（ｂ）は同図（ａ）のＡ部拡大図、（ｃ）は同図（ａ）の部分断面説明図。
【図５】（ａ）は本発明による第２実施形態の発光ユニットの正面説明図、（ｂ）は本発明による第３実施形態の発光ユニットの正面説明図。
【図６】（ａ）は本発明による第４実施形態の発光ユニットの正面説明図、（ｂ）は本発明による第５実施形態の発光ユニットの斜視説明図、（ｂ）は本発明による第６実施形態の発光ユニットの正面説明図。
【図７】（ａ）は本発明による第７実施形態の発光ユニットの斜視説明図、（ｂ）は本発明による第８実施形態の発光ユニットの斜視説明図、（ｂ）は本発明による第９実施形態の発光ユニットの斜視説明図。
【図８】本発明による第１０実施形態の発光ユニットの正面説明図。
【図９】第１実施形態の発光ユニットを壁面に縦横に配置した発光装置を示す正面説明図。
【図１０】（ａ）は第１実施形態の発光ユニットを吊りワイヤーで吊って縦横に配置した発光装置を示す正面説明図、（ｂ）はその部分拡大図。
【図１１】（ａ）は第１実施形態の発光ユニットを長手方向に連結すると共に周状に配置した発光装置を示す正面説明図、（ｂ）はその長手方向の連結部分の拡大図、（ｃ）はその周状配置の状態を説明する説明図。
【発明を実施するための形態】
【００１８】
次に、本発明の発光ユニット及び発光装置の実施形態について説明する。
【００１９】
〔第１実施形態の発光ユニット及び発光装置〕
第１実施形態の発光ユニット１は、図１及び図２に示すように、透光板２と、透光板２の側部に沿って列状に設けられ、発光を制御される複数のＬＥＤ部３と、透光板２の片面（本実施形態では図示正面側の面）に所定ピッチで配設される光拡散ライン４と、透光板２の外側に位置する箇所に設けられ、発光ユニット１と別の発光ユニット１との相互連結を可能にする連結部５と、ＬＥＤ部３に繋がると共に、発光ユニット１と別の発光ユニット１との相互の電気的接続を可能にする接続部６とを備える。
【００２０】
本実施形態では略矩形の略長方形板状である透光板２の外周には、透光板２を支持する支持フレーム７が設けられている。支持フレーム７は、透光板２の第一側部２１とこれに対向する第二側部２２の外側に配置される第一支持体７１と、第一側部２１及び第二側部２２に対して直角方向に延びる透光板２の第三側部２３とこれに対向する第四側部２４の外側に配置される第二支持体７２と、支持体７２の図示前後方向の片側に配置される支持板７３とから構成される。透光板２の長手方向の両端部は、第二支持体７２の凹部にそれぞれ嵌め込まれるようにして定置され固定されている。
【００２１】
透光板２は、透明なアクリル樹脂等の透過性の高い素材で形成され、例えば１００ｍｍ程度の幅など２５０ｍｍ以下の幅で形成されている。透光板２の片面には所定ピッチで光拡散ライン４が塗設されている。光拡散ライン４は、側部から透光板２に入射した光を透光板２の両面から略均一な発光で出射するように、光拡散塗料を透光板２の片面にシルク印刷等で印刷して形成されている。
【００２２】
光拡散ライン４は、透光板２の十分な発光量と十分な透過性を確保可能なように、所定幅で且つ所定ピッチで形成されており、ＬＥＤ部３の列設する方向と略平行方向のみに設けられている。本実施形態の光拡散ライン４は、略長方形板状の透光板２の長手方向に例えば０．１５ｍｍ幅など０．０５〜０．５ｍｍ幅、好ましくは０．１〜０．２ｍｍ幅で、等間隔の１．１５ｍｍピッチなど等間隔の０．５ｍｍ〜１．５ｍｍピッチで形成されており、好適には透過率を７５％以上、より好適には８６％以上とする。前記の幅、ピッチの光拡散ライン４により、均一な混色光の十分な発光を行うことができると共に、より十分な透過性を確保し、消灯時の存在感をより確実に消すことができる。
【００２３】
複数のＬＥＤ部３は、本実施形態では図示左側に位置する透光板２の第一側部２１と第一支持体７１との間に設けられており、発光方向を透光板２に向けて第一支持体７１に固着され、第一側部２１に沿って列状に設けられている。ＬＥＤ部３は、赤色ＬＥＤ３１、緑色ＬＥＤ３２、青色ＬＥＤ３３とから構成されるＬＥＤチップであり、赤色ＬＥＤ３１と緑色ＬＥＤ３２と青色ＬＥＤ３３とを列状に設けて構成され、その列が光拡散ライン４と略平行になるように配置されている。複数のＬＥＤ部３は、例えばその制御駆動部、単体のＬＥＤ部３の制御駆動部或いは全ＬＥＤ部３の一部の複数のＬＥＤ部３の制御駆動部にアドレスを設定して制御信号を送る構成等により、光拡散ライン４に沿って順次発光制御されるようになっている。
【００２４】
発光ユニット１と別の発光ユニット１との相互連結を可能にする連結部５としては、第一支持体７１の長手方向に所定間隔を開けて図示前後方向に形成されている、第一連結部であるねじ穴５１と、第二支持体７２の両端部に図示上下方向に形成されている、第二連結部であるピン穴５２と、後述するワイヤー１０３で吊る場合に吊り具１０２を取り付ける第三連結部であるねじ穴５３が設けられている。
【００２５】
一の発光ユニット１と別の発光ユニット１とを発光ユニット１の短辺方向（図示横方向）に並べて連結し、発光装置を構成する場合には、発光ユニット１の第一支持体７１と別の発光ユニット１の第一支持体７１とを相互に重ね合わせ、連通するねじ穴５１・５１にねじを通してねじ止めし、或いはボルトを通してボルト締めして固定し、連結する。
【００２６】
また、一の発光ユニット１と別の発光ユニット１とを発光ユニット１の長辺方向（図示縦方向）に並べて連結し、発光装置を構成する場合には、図３に示すように、一の発光ユニット１のピン穴５２と別の発光ユニット１のピン穴５２とを相互に対向させ、対向するピン穴５２・５２に位置合わせ用のノックピン８１を挿入し、略当接する支持板７３・７３上に固定板８２を配置し、固定板８２を支持板７３・７３に対して固定ボルト８３で固定することにより、連結する。
【００２７】
尚、連結部５は、ねじ穴５１、ピン穴５２以外にも、例えば一の発光ユニット１に凸部を設け、これを別の発光ユニット１の凹部に差し込む構成の凸部と凹部、或いは一の発光ユニット１に挟み込む形状のクリップを設け、これで別の発光ユニット１の凸部を挟み込む構成のクリップと凸部など、適宜である。
【００２８】
発光ユニット１と別の発光ユニット１との相互の電気的接続を可能にする接続部６としては、第二支持体７２にコネクタ６１が設けられている。一の発光ユニット１のコネクタ６１と別の発光ユニット１のコネクタ６１を電気的に接続する際には、接続ケーブル９のコネクタ９１・９１をそれぞれコネクタ６１・６１に接続することにより行う。また、単体の発光ユニット１の接続部６、或いは複数接続された発光ユニット１中の一の発光ユニット１の接続部６は、接続ケーブル９を介して、電源供給とＬＥＤ部の発光を制御するＤＭＸ信号など制御信号供給を行うコントロールユニット９５に接続され（図４（ａ）参照）、発光ユニット１に対して電源供給と制御信号供給が行われる。
【００２９】
第１実施形態の発光ユニット１で発光装置を構成する場合、上述のごとく、発光ユニット１を短辺方向に並べるようにして複数連結・接続して発光装置とする構成、或いは発光ユニット１を長辺方向に並べるようにして複数連結・接続して発光装置とする構成、或いは発光ユニットを短辺方向と長辺方向に縦横に並べるようにして複数連結・接続して発光装置とする構成とすることが可能である。
【００３０】
また、第１実施形態の発光ユニット１を用い、図４に示す発光装置であるパーティション１０を構成することも可能である。パーティション１０は、発光ユニット１の長手方向を横方向にし、長方形状の非透過部材の長手方向を横方向にし、発光ユニット１と非透過部材１１とを上下方向に交互に配置すると共に、発光ユニット１と非透過部材１１との横方向の両端部に断面視略コ字形の棒状の固定板１２を外嵌めし、固定ボルト１３で固定板１２と発光ユニット１及び非透過部材１１とを固定するものである。配置した発光ユニット１は接続ケーブル９６を介して接続すると共に、接続ケーブル９６の端部をコントロールユニット９５に接続する。尚、接続ケーブル９を用いて最も近い位置の発光ユニット１相互を接続するようにし、端部に位置する発光ユニット１をコントロールユニット９５に接続するようにしてもよい。固体板１２の下端にはキャスター１４が設けられ移動可能になっている。
【００３１】
尚、図４の変形例として、非透過部材１１を設けずに、発光ユニット１の長手方向を横方向にして発光ユニット１だけを上下方向に複数並設するパーティションとすることも可能である。また、例えば断面視略コ字形で矩形枠状の支持フレームを用い、発光ユニット１の長手方向を縦方向にし、長方形状の非透過部材の長手方向を縦方向にし、発光ユニット１と非透過部材１１とを横方向に交互に配置して嵌め込まれる支持フレームで支持するパーティション、或いは非透過部材１１を設けずに、発光ユニット１の長手方向を縦方向にして発光ユニット１だけを横方向に複数並設して嵌め込まれる支持フレームで支持するパーティション等とすることも可能である。これらの構成でも、例えば図４の例の如く、配置した複数の発光ユニット１を接続ケーブル９６を介して接続し、接続ケーブル９６の端部はコントロールユニット９５に接続する構成等とする。
【００３２】
第１実施形態の発光ユニット及び発光装置は、ＬＥＤ部３からの光を透光板２及び光拡散ライン４により輝度や色相にムラのない均一な混色光として透光板２の両面に出射し、発光時に高い存在感の発光を行うことができる。更に、所定ピッチの光拡散ライン４を有する透光板２で消灯時の存在感を軽減し、自由なエンターテインメント性を発揮することができる。また、光拡散ライン４をＬＥＤ部３の列設する方向と略平行方向のみに設けることにより、幾何学的錯覚により長手方向を強調して発光ユニット１をスマートに見せることができる。また、例えば発光ユニット１をテレビカメラで撮像した場合等に、規則正しい模様を使用した場合に発生するモアレ（干渉縞）を軽減することができる。
【００３３】
また、複数のＬＥＤ部３を光拡散ライン４に沿って順次発光制御することにより、光拡散ライン４に沿った滑らかで美しい発光を行うことができる。また、赤色、緑色、青色の光が光拡散ライン４に均等に届くようになり、一層ムラの無い混合色の発光を表現することができる。また、等間隔の光拡散ライン４により、発光ユニット１の消灯時の存在感のより確実に低減することができると共に、光の減衰を最小限に抑えてムラの無い均一な発光を得ることができる。また、自在な構造、形状のパーティション１０など、自在な構造、形状の発光装置を構成することができる。
【００３４】
〔他の実施形態、変形例の発光ユニット及び発光装置等〕
本明細書開示の発明は、各発明、各実施形態、各変形例の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含むものである。そして、下記の他の実施形態や変形例等も包含する。
【００３５】
例えば図５（ａ）の第２実施形態の発光ユニット１ａのように、略正方形等の幅広の透光板２ａと、透光板２ａの両側部である第一側部２１ａとこれに対向する第二側部２２ａに沿って列状に設けられ、発光を制御される複数のＬＥＤ部３ａと、透光板２ａの片面に所定ピッチで配設され、ＬＥＤ部３ａの列設する方向と略平行方向のみに設けられる光拡散ライン４ａと、透光板２ａの外周に設けられ、透光板２ａを支持する枠状の支持フレーム７ａと、透光板２ａの第三側部２３ａの外側と第四側部２４ａの外側とに位置する支持フレーム７ａに設けられ、接続ケーブル９ａ等で、発光ユニット１ａと同一若しくは異なる構成の別の発光ユニット１ａ等との相互の電気的接続を可能にする、或いはコントロールユニットとの接続を可能にする接続部６ａとを有する構成としてもよい。
【００３６】
第２実施形態における、その他の構成或いは細部の構成には第１実施形態等の構成等を適宜用いることが可能である。例えば別の発光ユニット１ａ等との連結を可能とする連結部を設ける場合には、透光板２ａの外側に位置する箇所に設け、第一側部２１ａの外側、第二側部２２ａの外側、第三側部２３ａの外側及び第四側部２４ａの外側の支持フレーム７ａの所要箇所に配置する構成等とする。
【００３７】
また、図５（ｂ）の第３実施形態の発光ユニット１ｂのように、コンパクトディスク形状の透光板２ｂの内側部に沿って環状の支持フレーム７ｂを設け、複数のＬＥＤ部３ｂを透光板２ｂの内側部に沿って列状に設けて、外周の透光板２ｂに向けて支持フレーム７ｂに固着し、更に透光板２ｂの片面に所定ピッチで光拡散ライン４ｂを同心円状に配置し、支持フレーム７ｂに設けられ、接続ケーブル９ｂ等で、発光ユニット１ｂと別の発光ユニット１ｂ等との相互の電気的接続を可能にする、或いはコントロールユニットとの接続を可能にする接続部６ｂとを有する構成としてもよい。第３実施形態における、その他の構成或いは細部の構成には第１実施形態等の構成等を適宜用いることが可能である。
【００３８】
尚、コンパクトディスク形状の透光板２ｂの内側部と外側部との双方に沿って環状の支持フレーム７ｂを設け、複数のＬＥＤ部３ｂを透光板２ｂの内側部及び外側部に沿って列状に設けて、それぞれ透光板２ｂに向けて支持フレーム７ｂに固着する構成等とすることも可能である。
【００３９】
また、図６（ａ）の第４実施形態の発光ユニット１ｃのように、三角形の透光板２ｃの外周に沿って三角枠状の支持フレーム７ｃを設け、三角形の透光板２ｃの各外側部に沿って複数のＬＥＤ３ｃを列状に設けて、透光板２ｃに向けて支持フレーム７ｃに固着し、更に透光板２ｃの片面に所定ピッチで光拡散ライン４ｃを三角形の相似形で配置し、支持フレーム７ｃに設けられ、接続ケーブル９ｃ等で、発光ユニット１ｃと別の発光ユニット１ｃ等との相互の電気的接続を可能にする、或いはコントロールユニットとの接続を可能にする接続部６ｃとを有する構成としてもよい。第４実施形態における、その他の構成或いは細部の構成には第１実施形態等の構成等を適宜用いることが可能である。
【００４０】
尚、三角形に代えて四角形、五角形、六角形、八角形など他の多角形により同一構成とすることも可能であり、又、図６（ｂ）の第５実施形態の発光ユニット１ｄのように、星形の透光板２ｄの外周に沿って星側枠状の支持フレーム７ｄを設け、星形の透光板２ｄの各外周側部に沿って複数のＬＥＤ３ｄを列状に設けて、透光板２ｄに向けて支持フレーム７ｄに固着し、更に透光板２ｄの片面に所定ピッチで光拡散ライン４ｄを星形の相似形で配置し、支持フレーム７ｄに設けられ、接続ケーブル９ｄ等で、発光ユニット１ｄと別の発光ユニット１ｄ等との相互の電気的接続を可能にする、或いはコントロールユニットとの接続を可能にする接続部６ｄとを有する構成としてもよい。
【００４１】
また、図６（ｃ）の第６実施形態の発光ユニット１ｅのように、略トンネル形の透光板２ｅの長手方向両端部に支持フレーム７ｅを設け、略トンネル形の透光板２ｅの一方の側部或いは両方の側部に沿って複数のＬＥＤ３ｅを列状に設けて透光板２ｅに向け、更に透光板２ｅの片面（内面又は外面）に所定ピッチで光拡散ライン４ｅを長手方向に沿って配置し、支持フレーム７ｅに設けられ、接続ケーブル９ｅ等で、発光ユニット１ｅと別の発光ユニット１ｅ等との相互の電気的接続を可能にする、或いはコントロールユニットとの接続を可能にする接続部６ｅとを有する構成としてもよい。第６実施形態における、その他の構成或いは細部の構成には第１実施形態等の構成等を適宜用いることが可能である。
【００４２】
また、図７（ａ）の第７実施形態の発光ユニット１ｆのように、平板部の両端からそれぞれ略直角に屈曲して屈曲板が延びる形状の透光板２ｆの一方の側部或いは両方の側部に沿って複数のＬＥＤ部３ｆを列状に設けて透光板２ｆに向け、前記屈曲板の先端部に相当する透光板２ｆの両端部に支持フレーム７ｆをそれぞれ設け、更に透光板２ｆの片面（内面又は外面）に所定ピッチで光拡散ライン４ｆを長手方向に沿って配置し、支持フレーム７ｆに設けられ、接続ケーブル９ｆ等で、発光ユニット１ｆと別の発光ユニット１ｆ等との相互の電気的接続を可能にする、或いはコントロールユニットとの接続を可能にする接続部６ｆとを有する構成としてもよい。第７実施形態における、その他の構成或いは細部の構成には第１実施形態等の構成等を適宜用いることが可能である。
【００４３】
また、図７（ｂ）の第８実施形態の発光ユニット１ｇのように、略長方形板を捻った形状の透光板２ｇの一方の側部或いは両方の側部に沿って複数のＬＥＤ部３ｇを列状に設けて透光板２ｇに向け、透光板２ｇの両端部に支持フレーム７ｇをそれぞれ設け、更に透光板２ｇの片面（内面又は外面）に所定ピッチで光拡散ライン４ｇを長手方向に沿って配置し、支持フレーム７ｇに設けられ、接続ケーブル９ｇ等で、発光ユニット１ｇと別の発光ユニット１ｇ等との相互の電気的接続を可能にする、或いはコントロールユニットとの接続を可能にする接続部６ｇとを有する構成としてもよい。第８実施形態における、その他の構成或いは細部の構成には第１実施形態等の構成等を適宜用いることが可能である。
【００４４】
また、図７（ｃ）の第９実施形態の発光ユニット１ｈのように、指輪状の透光板２ｈの一方若しくは双方の側部に沿って環状の支持フレーム７ｈを設け、透光板２ｈの一方の側部或いは両方の側部に沿って複数のＬＥＤ部３ｈを列状に設けて、透光板２ｈに向けて支持フレーム７ｈに固着し、更に透光板２ｈの片面（内面又は外面）に所定ピッチで光拡散ライン４ｇを周状に延びるように配置し、支持フレーム７ｈに設けられ、接続ケーブル９ｈ等で、発光ユニット１ｈと別の発光ユニット１ｈ等との相互の電気的接続を可能にする、或いはコントロールユニットとの接続を可能にする接続部６ｈとを有する構成としてもよい。第９実施形態における、その他の構成或いは細部の構成には第１実施形態等の構成等を適宜用いることが可能である。
【００４５】
また、図８の第１０実施形態の発光ユニット１ｉのように、透光板２ｉをデジタル数字のセグメントの形状とし、その一方の側部或いは両方の側部に沿って複数のＬＥＤ部３ｉを列状に設けて透光板２ｉに向け、透光板２ｉの片面に所定ピッチで光拡散ライン４ｉをセグメントの長手方向に延びるように配置し、更に透光板２ｉを各セグメントの位置で支持する支持フレーム７５ｉで固定支持し、支持フレーム７５ｉに設けられ、接続ケーブル９ｉ等で、発光ユニット１ｉと別の発光ユニット１ｉ等との相互の電気的接続を可能にする、或いはコントロールユニットとの接続を可能にする接続部６ｉとを有する構成としてもよい。第１０実施形態における、その他の構成或いは細部の構成には第１実施形態等の構成等を適宜用いることが可能である。尚、透光板２ｉと、これに対応する複数のＬＥＤ部３ｉと、透光板２ｉの光拡散ライン４ｉを単位として発光ユニットを構成してもよく、この場合には例えば前記発光ユニット毎に対応する接続部６ｉを支持フレーム７５ｉ等に設けるようにする。
【００４６】
また、複数の発光ユニットから構成される本発明の発光装置は、本発明の発光ユニットを、発光面を略正面方向にして、正面視で略縦方向、略横方向若しくは略縦横方向に並設し、並設した各発光ユニットに、ＬＥＤ部の発光を制御する制御信号を供給する適宜の構成を包含する。尚、前記略縦方向、略横方向若しくは略縦横方向の並設配置には、奥行きに段差を有する配置や、平面視や側面視で曲面的な配置等も含む。前記構成により、例えばパーティション、舞台用装置、壁面装飾用装置、壁面広告用装置など、多様な発光装置を構成することができる。
【００４７】
例えば第１実施形態の発光ユニット１を発光面を略正面方向にして、正面視で略縦方向若しくは略横方向に並設する上記パーティション１０やその変形例等の他に、図９の例のように、発光ユニット１の長手方向を横方向にし、発光面を正面方向にして壁面１０１や階段の側面等に取り付けて縦横に並列して配置し、各発光ユニット１とコントロールユニット９５を接続ケーブル９６を介して接続する舞台用装置、壁面装飾用装置、或いは壁面広告用装置等としてもよい。
【００４８】
更に、図１０の例のように、発光ユニット１の長手方向を横方向にし、発光面を正面方向にして縦横に並列配置すると共に、発光ユニット１のねじ穴５１に吊り具１０２を取り付け、吊り具１０２にワイヤー１０３を通し、発光ユニット１・１間に吊設されるワイヤー１０３及び天井等から吊られて最上部の発光ユニット１を吊すワイヤー１０３により、縦方向に並設される発光ユニット１を吊す舞台用装置等としてもよい。図示例では、縦方向に並ぶ発光ユニット１を両端近傍の２セットのワイヤー１０３・１０３で吊すようになっており、一方の端部近傍のワイヤー１０３に沿って設けられる接続ケーブル９６が接続部６に接続され、コントロールユニット９５の制御で各発光ユニット１が発光するようになっている。
【００４９】
また、本発明の発光装置は、本発明の発光ユニットを、発光面を略正面方向若しくは略平面方向にして、平面視で略縦方向、略横方向若しくは略縦横方向に並設し、並設した各発光ユニットに、ＬＥＤ部の発光を制御する制御信号を供給する適宜の構成を包含する。尚、前記略縦方向、略横方向若しくは略縦横方向の並設配置には、一部が重なるようにずらして配置する場合や、発光面を略平面方向とする場合に奥行きに段差を有する配置や、側面視で曲面的な配置も含む。前記構成により、例えばフロア装飾用装置、上空や高所から視認される装飾用装置や広告用装置など、多様な発光装置を構成することができる。
【００５０】
例えば第１実施形態の発光ユニット１を発光面を略正面方向にし、床面等に長手方向を上下として立設するように並べ、その並設状態が平面視で略縦方向、略横方向若しくは略縦横方向に並設されているようにすると共に、各発光ユニット１を接続ケーブル９６を介してコントロールユニット９５に接続する構成や、或いは発光ユニット１を発光面を略平面方向にし、床面等に寝かせるように並べ、その並設状態が平面視で略縦方向、略横方向若しくは略縦横方向に並設されているようにすると共に、各発光ユニット１を接続ケーブル９６を介してコントロールユニット９５に接続する構成等とする。
【００５１】
また、本発明の発光装置は、本発明の発光ユニットを、発光面を略半径方向若しくは略平面方向にして、平面視で略周状に設け、周設した各発光ユニットに、ＬＥＤ部の発光を制御する制御信号を供給する適宜の構成を包含する。前記構成により、例えばフロア装飾用装置、柱装飾用装置、柱広告用装置、上空や高所から視認される装飾用装置や広告用装置など、多様な発光装置を構成することができる。
【００５２】
例えば図１１の例のように、第１実施形態の発光ユニット１を長手方向に連結、接続すると共に、断面視八角形等の断面視多角形の柱状の固定板８４を用い、固定板８４の外周面である平板部に沿って前記連結、接続した発光ユニット１を設けて発光面を略半径方向とし、これを周状に配置し、固定ボルト８５で固定板８４と第二支持体７２とを固定し、更に、最下部の発光ユニット１を接続ケーブル９を介してコントロールユニット９５に接続する構成や、或いは発光ユニット１を発光面を略平面方向にし、平面視で略周状になるように床面等に寝かせるように設け、各発光ユニット１を接続ケーブル９６を介してコントロールユニット９５に接続する構成等とする。
【産業上の利用可能性】
【００５３】
本発明は、例えばアイキャッチやエンターテインメント空間の形成に適する発光ユニットや発光装置として利用することができる。
【符号の説明】
【００５４】
１、１ａ〜１ｉ…発光ユニット  ２、２ａ〜２ｉ…透光板  ２１、２１ａ…第一側部  ２２、２２ａ…第二側部  ２３、２３ａ…第三側部  ２４、２４ａ…第四側部  ３、３ａ〜３ｉ…ＬＥＤ部  ３１…赤色ＬＥＤ  ３２…緑色ＬＥＤ  ３３…青色ＬＥＤ  ４、４ａ〜４ｉ…光拡散ライン  ５…連結部  ５１、５３…ねじ穴  ５２…ピン穴  ６、６ａ〜６ｉ…接続部  ７、７ａ〜７ｈ、７５ｉ…支持フレーム  ７１…第一支持体  ７２…第二支持体  ７３…支持板  ８１…ノックピン  ８２、８４…固定板  ８３、８５…固定ボルト  ９…接続ケーブル  ９１…コネクタ  ９５…コントロールユニット  ９６…接続ケーブル  １０…パーティション  １１…非透過部材  １２…固定板  １３…固定ボルト  １４…キャスター  １０１…壁面  １０２…吊り具  １０３…ワイヤー
【図１】
2012079539.tif 000003
【図２】
2012079539.tif 000004
【図３】
2012079539.tif 000005
【図４】
2012079539.tif 000006
【図５】
2012079539.tif 000007
【図６】
2012079539.tif 000008
【図７】
2012079539.tif 000009
【図８】
2012079539.tif 000010
【図９】
2012079539.tif 000011
【図１０】
2012079539.tif 000012
【図１１】
2012079539.tif 000013